(57)【特許請求の範囲】
【請求項１】
水平方向に対して傾斜した傾斜カットオフラインを有するすれ違いビームの配光パターンを得るために、その基本面について、
（イ）光軸を含む水平基準面内に設定される曲線、又は該水平基準面に対して光軸を回転軸として所定の角度をもって傾斜された傾斜基準面内に設定される曲線を基準曲線とすること、
（ロ）光源体は、その中心軸が光軸に沿って延びており、基準曲線の基準点の近傍に位置されること、
（ハ）光軸上に位置する上記基準曲線の基準点から発したと仮定した光が当該基準曲線上の任意の点で反射されたときの反射光の光線ベクトルに平行な軸を有し、該反射点を通り基準点を焦点とする仮想的な回転放物面を、上記光線ベクトルを含み、かつ上記水平基準面若しくは傾斜基準面に対して直交し又は傾斜した平面に平行な仮想平面で切った交線の集合体として反射面が形成されること、の３要件を具備した反射鏡を有する車輌用前照灯において、
光軸方向から反射面を見た場合に上記水平基準面に近接した第１の反射領域については、水平基準面に対して、上記傾斜カットオフラインの水平線に対する角度に等しい第１の角度をもって傾斜された傾斜基準面内に基準曲線が設定されること、
そして、光軸方向から反射面を見た場合に上記水平基準面に関して上記第１の反射領域より上側又は下側に位置する第２の反射領域については、水平基準面に対して、０゜より大きく、かつ上記傾斜カットオフラインの水平線に対する角度より小さい第２の角度をもって傾斜された傾斜基準面内に基準曲線が設定されること、
を特徴とする車輌用前照灯。
【請求項２】
請求項１に記載の車輌用前照灯において、
第１の反射領域によって前方に投影される光源体の投影像が、配光パターンにおける傾斜カットオフラインに沿ってその直下に配置され、かつ、第２の反射領域によって前方に投影される光源体の投影像が、水平線に対して第２の角度をもって形成したラインに沿ってその直下に配置される
ことを特徴とする車輌用前照灯。
【請求項３】
請求項１又は請求項２に記載の車輌用前照灯において、
反射面の表現式に対して正規分布型関数と周期関数との積からなる関数に基づく加算演算を施すことによって、反射面の全面又は一部分が波状に形成されている
ことを特徴とする車輌用前照灯。
【請求項４】
請求項３に記載の車輌用前照灯において、
反射面のうち光軸を含む水平基準面から遠い場所ほど波状部の波高が低くされている
ことを特徴とする車輌用前照灯。
【請求項５】
水平方向に対して傾斜した傾斜カットオフラインを有するすれ違いビームの配光パターンを得るために、その基本面については、
（イ）光軸を含む水平基準面内に設定される曲線、又は該水平基準面に対して光軸を回転軸として所定の角度をもって傾斜された傾斜基準面内に設定される曲線を基準曲線として設定した後、
（ロ）光源体については、その中心軸が光軸に沿って延びるとともに、上記基準曲線の基準点の近傍に位置するように設定し、
（ハ）光軸上に位置する上記基準曲線の基準点から発したと仮定した光が当該基準曲線上の任意の点で反射されたときの反射光の光線ベクトルに平行な軸を有し、該反射点を通り基準点を焦点とする仮想的な回転放物面を、上記光線ベクトルを含み、かつ上記水平基準面若しくは傾斜基準面に対して直交し又は傾斜した平面に平行な仮想平面で切った交線集合体を生成することにより反射面を形成する、車輌用前照灯の反射鏡の形成方法において、
光軸方向から反射面を見た場合に上記水平基準面の近接した第１の反射領域については、水平基準面に対して、上記傾斜カットオフラインの水平線に対する角度に等しい第１の角度をもって傾斜された傾斜基準面内に基準曲線を設定して上記の交線集合体を生成し、
光軸方向から反射面を見た場合に上記水平基準面に関して上記第１の反射領域の上側又は下側に位置する第２の反射領域については、水平基準平面に対して、０゜より大きく、かつ上記傾斜カットオフラインの水平線に対する角度より小さい第２の角度をもって傾斜された傾斜基準面内に基準曲線を設定して上記の交線集合体を生成する
ことを特徴とする車輌用前照灯の反射鏡の形成方法。
【請求項６】
請求項５に記載の車輌用前照灯の反射鏡の形成方法において、
反射面の表現式に対して正規分布型関数と周期関数の積からなる関数に基づく加算演算を施すことによって反射面の全面又は一部分を波状に形成した
ことを特徴とする車輌用前照灯の反射鏡の形成方法。
【請求項７】
請求項６に記載の車輌用前照灯の反射鏡の形成方法において、
反射面のうち光軸を含む水平基準面から遠い場所ほど波高が低くなるように、正規分布型関数のピーク値を変化させる
ことを特徴とする車輌用前照灯の反射鏡の形成方法。
【発明の詳細な説明】
【０００１】
【発明の属する技術分野】
すれ違いビーム配光を得るための車輌用前照灯において、反射鏡及びその反射面の形成方法に関するものである。
【０００２】
【従来の技術】
車輌用前照灯における基本的な構成では、回転放物面状をした反射鏡と、その前方に拡散レンズステップを有する前面レンズとを備えているが、前面レンズのスラント化（車体のフロントノーズの形状に合せて前面レンズが鉛直面内で大きく傾斜された状態とされること。）や、灯具形状の車輌形状への適合性、車種毎に要求される配光性能への対応のために、これまで前面レンズが担って来た配光制御機能を反射鏡側に転嫁するとともに、反射面の全面を有効に利用することによって、すれ違いビームに特有のカットオフラインを有する配光パターンを形成することができるようにした車輌用前照灯の反射鏡が提案されており、例えば、特開平４−２４８２０２号公報等に示される灯具が知られている。
【０００３】
つまり、この種の灯具では、前面レンズが素通しか又はこれに近い状態（レンズステップがほとんど形成されない状態）となるので、反射鏡の曲面設計が灯具の配光分布を決定する上で重要になる。
【０００４】
【発明が解決しようとする課題】
ところで、車輌用照明ではすれ違いビーム配光に特有の傾斜カットオフライン（１５゜傾斜）の形成について、従来の反射鏡では、当該ラインの直下に位置する遠距離域や中距離域への照射光量を充分に確保することが容易でないため、自車線路における視認性を向上させるのに支障を来す虞が生じるという問題がある。
【０００５】
そこで、本発明は、すれ違いビーム配光における傾斜カットオフラインの近傍に位置する範囲について充分な照射光量が得られるように反射面の曲面設計を行うことで、遠距離域及び中距離域における視認性の向上を図ることを課題とする。
【０００６】
【課題を解決するための手段】
上記した課題を解決するために、本発明は、水平方向に対して傾斜した傾斜カットオフラインを有するすれ違いビームの配光パターンを得るために、反射面の基本面について、下記の３要件（イ）乃至（ハ）を具備することを前提とする。
【０００７】
（イ）光軸を含む水平基準面内に設定される曲線、又は光軸を含む水平基準面に対して光軸を回転軸として所定の角度をもって傾斜された傾斜基準面内に設定される曲線を基準曲線とすること。
【０００８】
（ロ）光源体は、その中心軸が光軸に沿って延びており、基準曲線の基準点の近傍に位置されること。
【０００９】
（ハ）光軸上に位置する基準曲線の基準点から発したと仮定した光が当該基準曲線上の任意の点で反射されたときの反射光の光線ベクトルに平行な軸を有し、該反射点を通り基準点を焦点とする仮想的な回転放物面を、上記光線ベクトルを含み、かつ水平基準面若しくは傾斜基準面に対して直交し又は傾斜した平面に平行な仮想平面で切った交線の集合体として反射面が形成されること。
【００１０】
そして、本発明において、光軸方向から反射面を見た場合に上記水平基準面に近接した第１の反射領域については、水平基準面に対して上記傾斜カットオフラインの水平線に対する角度に等しい第１の角度をもって傾斜された傾斜基準面内に基準曲線が設定されるとともに、光軸方向から反射面を見た場合に水平基準面に関して第１の反射領域の上側又は下側に位置する第２の反射領域については、水平基準面に対して、０゜より大きく、かつ傾斜カットオフラインの水平線に対する角度より小さい第２の角度をもって傾斜された傾斜基準面内に基準曲線が設定される。
【００１１】
従って、本発明によれば、第１の領域によって得られる光源体の投影像を、傾斜カットオフラインの直下において当該ラインに沿って配置させることで必要な光量を確保して、自車線路の前方における遠方視認性を向上させることができるとともに、第２の領域によって得られる光源体の投影像を、傾斜カットオフラインより小さい角度をもったラインに沿って配置させることで自車線路の前方における中距離域への照射光量を確保することができる。
【００１２】
【発明の実施の形態】
本発明に係る反射鏡及びその形成方法について説明する前に、反射面の基本面とその形成方法について、図１乃至図１０に従って説明する。
【００１３】
図１は基本面１を概略的に示す正面図であり、該基本面１に対して設定される３次元直交座標系については、紙面に垂直に延びる光軸をｘ軸（手前側を正の向きとする。）とし、これに直交する水平軸をｙ軸（図の右方を正の向きとする。）とし、鉛直軸をｚ軸（図の上方を正の向きとする。）として選んでおり、３軸の交点Ｏが原点とされる。
【００１４】
この基本面１には、正面から見て原点Ｏを中心とする光源挿入孔２が形成されている。
【００１５】
図２は、基本面１とｘ−ｚ平面との交線ｍの形状を概略的に示すものであり、ｘ軸上に焦点Ｆ１を有する放物線状をしている。尚、焦点Ｆ１の前方（ｘ軸の正方向）には点Ｆ２が位置しているが、これらの焦点が曲面形成上の基準点（仮想回転放物面の焦点）であることは後に判明する。また、図では説明の便宜上、交線ｍが単一の放物線とされているが、反射面への実際の適用にあたっては、ｘ−ｙ平面の上側に位置する曲線部の焦点をＦ１に設定し、ｘ−ｙ平面の下側に位置する曲線部の焦点をＦ２に設定する必要がある（水平面に対して下向きに進行する反射光を得るためである。）。
【００１６】
光源体３は、光源挿入用孔２を通して反射鏡内に配置されるようになっており、その中心軸が光軸であるｘ軸に沿って延びるとともに、上記焦点Ｆ１とＦ２との間に位置されている。
【００１７】
尚、光源としては電球（ハロゲン電球等）や放電灯（メタルハライドランプ等）を用いることができ、例えば、白熱電球を使用する場合の光源体３はフィラメントであり、この場合に設計上の理想的形状が円柱状をなすものと仮定される。そして、フィラメントの光軸に対する配置方法については、その中心軸がｘ軸に一致するように配置する方法と、当該中心軸を、ｘ軸に対して平行であってｘ軸に上側から接する状態で配置する方法がある。また、光源に放電灯を使用する場合において光源体３とは放電電極間のアークのことである。
【００１８】
図３はｘ軸を含む水平基準面（あるいは水平基準平面、図のｘ−ｙ平面に相当する。）内に設定される基準曲線４、つまり、基本面１とｘ−ｙ平面との交線の形状を概略的に示すものである。
【００１９】
この基準曲線４については、放物線や楕円等の解析的な数式表現ができる２次曲線に限らず、スプライン曲線等を含む自由曲線が挙げられるが、後者の場合には当該曲線上の点での反射方向を示す方向ベクトルについての幾何光学的な洞察が曲面設計において必要である。例えば、図示する基準曲線４では、ｘ軸上に焦点Ｆ（上記焦点Ｆ１やＦ２に相当する。）を有する「楕円的」又は「双曲的」な曲線部４ａ（図に「Ｒａ」で示す範囲を参照。）と、その両側に位置する「放物的」な曲線部４ｂ、４ｂ′（図に「Ｒｂ」、「Ｒｂ′」で示す範囲を参照。）とから構成されたスプライン曲線として形成されており、光源体３が、当該基準曲線４の焦点（又は基準点）Ｆの近傍（図では前方）に位置されている。
【００２０】
尚、ここにいう「双曲的」、「楕円的」、「放物的」とは、基準曲線４上の反射点での反射光線の狙い方向、つまり、反射点を通ってｘ軸に平行な直線に対して反射光線の向きがどのような傾向を有しているかによって定義される用語であって、反射点における反射光線の方向ベクトルや基準曲線４の一部をなす曲線部に対する修飾語として用いられるものである。
【００２１】
図４は反射光線の方向ベクトルに対する上記の用語の定義について示すものである。
【００２２】
ｘ軸上に設定される焦点Ｆに点光源をおいたと仮定して、該点光源から基準曲線４上の点Ｑに向けて発した光が点Ｑで反射したときの反射光線の向きを示す単位方向ベクトルの３態様を示しており、ベクトル「ｖ＿Ｑｐ」は、点Ｑを通ってｘ軸に平行に延びる直線Ｌに沿ってｘ軸の正の向きと同じ向きをもつベクトル、ベクトル「ｖ＿Ｑｅ」はその先端がｘ軸側に近づいたベクトル、ベクトル「ｖ＿Ｑｈ」はその先端がｘ軸から離れる方向を向いたベクトル、をそれぞれ示している。
【００２３】
これらのベクトルに対しては、放物線においてその焦点から発した後、放物線上の点で反射した光が放物線の軸に平行であるという幾何光学上の性質から類推して、ベクトル「ｖ＿Ｑｐ」を「放物的」であると定義し、また、楕円にあっては、その焦点の一つから発した後楕円上の点で反射した反射光線が他方の焦点で楕円の長軸と交差するという幾何光学上の性質から類推してベクトル「ｖ＿Ｑｅ」を「楕円的」であると定義する。そして、双曲線にあっては、その焦点の一つから発した後双曲線上の点で反射した反射光線がその進行方向にいくにつれて双曲線の軸から離れていくという幾何光学上の性質から類推して、ベクトル「ｖ＿Ｑｈ」を「双曲的」であると定義する。
【００２４】
以上の用語を反射方向ベクトルから曲線部に拡張するにあたっては、当該曲線部の端点Ｓから端点Ｅにかけての任意点で反射方向ベクトルが連続的に変化していくことに着目し、下記に示す定義を採用する。
【００２５】
・「双曲的な曲線部」とは、端点Ｓでの反射方向ベクトルが「楕円的」であるか又は「放物的」であること、そして、端点Ｓから端点Ｅへと進むにつれて反射方向ベクトルの方向が次第に変化していき、端点Ｅでの反射方向ベクトルが「双曲的」になっていることである。
【００２６】
・「楕円的な曲線部」とは、端点Ｓでの反射方向ベクトルが「双曲的」であるか又は「放物的」であること、そして、端点Ｓから端点Ｅへと進むにつれて反射方向ベクトルの方向が次第に変化していき、端点Ｅでの反射方向ベクトルが「楕円的」になっていることである。
【００２７】
・「放物的な曲線部」とは、端点Ｓでの反射方向ベクトルが「楕円的」であるか又は「双曲的」であること、そして、端点Ｓから端点Ｅへと進むにつれて反射方向ベクトルの方向が次第に変化していき、端点Ｅでの反射方向ベクトルが「放物的」になっていることである。
【００２８】
要するに、これらの定義は、曲線部の端点Ｓにおいて認められる反射傾向が端点Ｅに進むにつれて変化していったときに、端点Ｅにおいて最終的に認められる反射傾向を示す用語を、当該曲線部に対して使用したものに他ならない。
【００２９】
例えば、これらの用語を使うと、図３に示した基準曲線４において、曲線部４ａとｘ軸との交点Ｏでの反射光線の方向ベクトルが放物的であり、該曲線部４ａと曲線部４ｂとの境界点Ｂでの反射光線の方向ベクトルが楕円的であるとした場合に、曲線部４ａのうち点Ｏから点Ｂにかけての部分は「楕円的」である（∵点Ｏを端点Ｓ、点Ｂを端点Ｅとして上記の定義規則を適用すれば良い。）。同様に、曲線部４ａと曲線部４ｂ′との境界点Ｂ′での反射光線の方向ベクトルが楕円的であるとした場合に、曲線部４ａのうち点Ｏから点Ｂ′にかけての部分は「楕円的」である。そして、曲線部４ｂや４ｂ′については、点Ｏ、点Ｂ′での反射方向ベクトルが楕円的であり、曲線部４ｂの端点Ｃ（基準曲線４の左端）及び曲線部４ｂ′の端点Ｃ′（基準曲線４の右端）での反射方向ベクトルが放物的であるので、これらの曲線部が放物的であることが容易に分かる。従って、基準曲線４上の点における反射傾向は、範囲「Ｒａ」において水平方向への拡散作用が認められ、範囲「Ｒｂ」や「Ｒｂ′」では点Ｃや点Ｃ′に近づくにつれて反射方向がｘ軸に平行な方向に近づいていくことが定性的に理解される（換言すれば、上記した用語の導入なしに基準曲線４に関する反射傾向を説明するには多数の数式を駆使した甚だ数学的な議論の展開が必要である。）。
【００３０】
以上のようにして基準曲線４の形状が決まると、次は下記の手順により曲面を形成することができる。
【００３１】
（１）光軸上に位置する基準曲線の基準点から発したと仮定した光が基準曲線上の任意の点で反射されたときの反射光の光線ベクトルに平行な軸を有し、該反射点を通り基準点を焦点とする仮想的な回転放物面を想定する。
【００３２】
（２）光線ベクトルを含み鉛直軸に平行な仮想平面（あるいは光線ベクトルを含み鉛直軸に平行な平面に対して傾斜した仮想平面）を想定する。
【００３３】
（３）（１）の仮想的な回転放物面を、（２）の仮想平面で切ったときに得られる交線（放物線）の集合体（交線集合体）として反射面を形成する。
【００３４】
図５及び図６は手順（１）についての説明図である。
【００３５】
図５では、水平基準面（ｘ−ｙ平面）上に設定された基準曲線４を示しており、該曲線上の点Ｑには、その位置での反射光線の方向ベクトルｖ＿Ｑが一意に決定される。即ち、ｘ軸上の焦点（あるいは基準点）Ｆの前方又は後方に設定される基準点Ｄに点光源を置いたと仮定した時に該点光源から発した後点Ｑで反射した光は、方向ベクトルｖ＿Ｑに方向に進行する。
【００３６】
図６は、点Ｑについて想定される仮想回転放物面ＰＳを示しており、この仮想回転放物面ＰＳは、基準点Ｄを焦点とし、ベクトルｖ＿Ｑに平行な回転対称軸ＡＳを有しており、点Ｑが面ＰＳ上に位置するように想定される曲面である。
【００３７】
図７は手順（２）の説明図であり、点Ｑを通りｚ軸に平行な仮想平面πによって、上記仮想回転放物面ＰＳを切断したときの交線は放物線５となる。このような放物線は基準曲線４上の任意の点Ｑについて一意に決定されるので、上記手順（３）では、図８に示すように、基準曲線４に沿って点Ｑに放物線５、５、・・・を付与していくことによって該放物線の集合体として曲面６が形成され、これが基本面となる。即ち、基準曲線４に沿う仮想回転放物面の包絡面として基本面が得られることになる。尚、車輌用前照灯の反射鏡への適用にあたっては、反射面のうちｘ−ｙ平面の上側の領域と下側の領域とで基準点Ｄを異なる位置に設定する等の配慮が必要である。また、仮想平面πについては点Ｑを通りｚ軸に平行な平面に対して、当該平面と水平基準面との交線を回転軸として当該平面を傾斜した平面に規定することもできる。
【００３８】
以上の説明では、基準曲線４を水平基準面内に設定するものとしたが、より一般には、当該水平基準面に対して光軸回りに所定の角度をもって傾斜した傾斜基準平面内に基準曲線を設定して、上記（１）乃至（３）の手順を拡張することができる。
【００３９】
図９は水平基準面（ｘ−ｙ平面）に対して光軸を回転軸として所定の角度（これを「θ」と記す。）をもって傾斜された傾斜基準面（基準平面）７を示しており、この面内に図３に示したような基準曲線が設定される。
【００４０】
この場合の曲面形成の手順は下記の通りである（図１０参照。）。
【００４１】
（１）基準曲線４′の基準点Ｄから発したと仮定した光が基準曲線４′上の任意の点で反射されたときの反射光の光線ベクトルに平行な軸を有し、該反射点を通り基準点を焦点とする仮想的な回転放物面を想定する。尚、基準点の位置については反射面の上側（ｘ−ｙ平面の上側）であるか下側であるかに注意して設定する必要がある。
【００４２】
（２）（１）の（反射）光線ベクトルを含み、鉛直軸に対して傾斜した仮想平面（傾斜基準面７に直交する平面であり、図９には線８、８、・・・で示す。）を想定する。尚、この仮想平面については、傾斜基準面７に直交する平面に対して当該平面と傾斜基準面との交線を回転軸にして当該平面を傾斜した平面に規定することもできる。
【００４３】
（３）（１）の仮想的な回転放物面を、（２）の仮想平面で切ったときに得られる交線（放物線）の集合体として反射面を形成する。つまり、図１０に概略的に示すように、基準曲線４′上の任意の点毎に放物線９、９、・・・が決まる（図には代表点毎の交線だけを示す。）。
【００４４】
以上で基本面の形状及び形成方法が明らかになったので、次に本発明に係る反射鏡の反射面について説明する。
【００４５】
図１１は、反射面に関する代表的な構成例について説明するための正面図であり、該反射面に対して設定される３次元直交座標系については、紙面に垂直に延びる光軸をｘ軸（手前側を正の向きとする。）とし、これに直交する水平軸をｙ軸（図の右方を正の向きとする。）とし、鉛直軸をｚ軸（図の上方を正の向きとする。）として選んでおり、３軸の交点Ｏ（光源配置用孔１０ａの中心）が原点とされる。
【００４６】
図示する例では、反射面１０が反射領域１０Ａ、１０Ｂ、１０Ｃ、１０Ｄ、１０Ｅから構成されており、ｙ軸の正軸を「０゜」の基準としてｘ軸回りに図の反時計回り方向を正方向とする角度軸「Φ」を設定し、各領域の占有角度を「ΦＸ」（Ｘ＝Ａ、Ｂ、Ｃ、Ｄ、Ｅ）としたときに、各領域は下記に示す範囲を占める。
【００４７】
・反射領域１０Ａ（０゜  ＜  Φ  ≦  ΦＡ）
・反射領域１０Ｄ（ΦＡ  ＜  Φ  ≦  ΦＡ＋ΦＤ）
・反射領域１０Ｂ（ΦＡ＋ΦＤ  ＜  Φ  ≦  ΦＡ＋ΦＤ＋ΦＢ）
・反射領域１０Ｅ（ΦＡ＋ΦＤ＋ΦＢ  ＜  Φ  ≦  ΦＡ＋ΦＤ＋ΦＢ＋ΦＥ）
・反射領域１０Ｃ（３６０゜−ΦＣ  ＜  Φ  ≦  ３６０゜）。
【００４８】
尚、ここで、角度「α」（０゜＜α≦９０゜）を、領域１０Ａと１０Ｄとの境界線（あるいは当該境界線を含みｘ軸方向に延びる平面）１１がｘ−ｙ平面（ｙの負軸）に対してなす角度と定義し、また、角度「θd」を、領域１０Ｄと１０Ｂとの境界線（あるいは当該境界線を含みｘ軸方向に延びる平面）１２がｘ−ｙ平面（ｙの負軸）に対してなす角度と定義すると、例えば、「ΦＤ＝α＋θd」、「ΦＡ＝１８０゜−α」等の関係が得られる。
【００４９】
また、角度「θcol」を、領域１０Ｂと１０Ｅとの境界線（あるいは当該境界線を含みｘ軸方向に延びる平面）１３がｘ−ｙ平面（ｙの負軸）に対してなす角度と定義すると、この角度はすれ違いビーム配光における傾斜カットライン角（傾斜カットオフラインの水平線に対する角度「１５゜」）に相当する。そして、角度「β」（θcol＜β≦９０゜）を、領域１０Ｅと１０Ｃとの境界線（あるいは当該境界線を含みｘ軸方向に延びる平面）１４がｘ−ｙ平面（ｙの負軸）に対してなす角度と定義すると、例えば、「θd＋ΦＢ＋ΦＥ＝β」、「ΦＣ＝１８０゜−β」等の関係が得られる。
【００５０】
これらの境界線は、反射面１０の領域区分について説明の便宜のために図示したものであり、実際の曲面はこれらの境界線において段差なく連続した曲面となっていることに注意を要する（つまり、境界線は仮想的なものである。）。
【００５１】
また、各反射領域内に示す縦線や傾斜線は、水平基準面又は傾斜基準面内に設定される基準曲線の点毎に付与される放物線（図８、図１０の放物線を参照。）の幾つかを代表的に例示したものであり、実際に視認されるものではない。
【００５２】
先ず、ｙ−ｚ平面の第１象限から第２象限の一部にかけての範囲を占める反射領域１０Ａについては、水平基準面であるｘ−ｙ平面内に基準曲線を有しており（つまり、上記したθに「Ａ」を付した記号を用いて「θＡ＝０゜」と設定される。）、該基準曲線上の点に対して付与される放物線はｘ−ｙ平面に直交する平面内に含まれる。
【００５３】
図１２は光軸（ｘ軸）に沿って配置される光源体３と、基準点Ｄ（仮想焦点）の設定について説明するための図であり、図中の点「ＳＢ」、「ＳＦ」の意味は下記の通りである。
【００５４】
・「ＳＢ」＝光源体３の後端（ｚ軸に近い方の端）のｘ軸上への正射影点（原点Ｏからの距離を「ｓｂ」と記す。）
・「ＳＦ」＝光源体３の前端（ｚ軸から遠い方の端）のｘ軸上への正射影点（原点Ｏからの距離を「ｓｆ」と記す。）。
【００５５】
尚、図では光源体３の側面部がｘ軸に接する配置となっているが、これに限らず、光源体の中心軸がｘ軸に一致する配置や、両者の中間的な配置が可能である。
【００５６】
反射領域１０Ａの基準点ＤＡについては、点ＳＢかその後方に設定される。つまり、原点Ｏから基準点ＤＡまでの距離を「ｆvＡ」と記すと、「０＜ｆvＡ≦ｓｂ」である。尚、これは反射領域１０Ａがｘ−ｙ平面の上側に位置しているので、当該領域による投影パターンを下向きにする必要があることに依る。
【００５７】
ｙ−ｚ平面の第２象限の一部と、第３象限に跨って位置する反射領域１０Ｄについては、ｘ軸を回転軸として水平基準面（ｘ−ｙ平面）に対してθdの角度をもって傾斜した平面内に基準曲線が設定されている（ｙ軸の負軸に対してθdの角度をもって下方に傾いた平面が基準平面とされ、上記したθに「Ｄ」を付した記号を用いて「θＤ＝θd」である。つまり、図９、図１０において「θ＝θd」の場合に相当する。）。そして、当該基準曲線上の点に対して付与される放物線はこの傾斜した基準平面に直交する平面内に含まれる。尚、本領域については、後述する波状化処理により、傾斜カットオフラインの下側において水平線に対してθd（０゜＜θd≦θcol）の角度をなす方向への拡散光を得ることができる。
【００５８】
また、図１２に示すように反射領域１０Ｄの基準点「ＤＤ」については、点ＳＢかその後方に設定される。つまり、原点Ｏから基準点ＤＤまでの距離を「ｆvＤ」と記すと、「０＜ｆvＤ≦ｓｂ」の範囲内で設定される。
【００５９】
本領域は、反射領域１０Ｂによる反射光（すれ違いビーム配光における傾斜カットオフライン直下の範囲を形成する光）に対して照射光量を増強する役割を有している。
【００６０】
ｙ−ｚ平面の第３象限において領域１０Ｄに隣接する反射領域１０Ｂの曲面形状については、ｘ軸を回転軸とする回転対称面（上記基準曲線をｘ軸回りに回転させてできる回転体であり、例えば、基準曲線を放物線としたときには回転放物面である。）が用いられる。尚、その焦点位置（あるいは基準点位置）については、反射領域１０Ｂによる反射光が、すれ違いビーム配光における傾斜カットオフライン直下の範囲を形成する光として寄与するように、例えば、上記した点ＳＦやその前後、あるいは点ＳＢやその前後に設定される。
【００６１】
反射領域１０Ｅについては、ｘ軸を回転軸として水平基準面（ｘ−ｙ平面）に対してθcolの角度をもって傾斜した平面内に基準曲線が設定されている。つまり、ｙ軸の負軸に対してθcolの角度をもって下方に傾いた平面が基準平面とされ、上記したθに「Ｅ」を付した記号を用いて「θＥ＝θcol」である。そして、当該基準曲線上の点に対して付与される放物線はこの傾斜した基準平面に直交する平面内に含まれる。
【００６２】
尚、図１２に示すように反射領域１０Ｅの基準点「ＤＥ」については、点ＳＦかその前方に設定される。つまり、原点Ｏから基準点ＤＥまでの距離を「ｆvＥ」と記すと、「ｓｆ≦ｆvＥ」の範囲内で設定される。但し、ｆvＥが長い程照射光が下方に向けられるので、その上限値は車輌前方の照射範囲との関係において決まる。
【００６３】
ｙ−ｚ平面の第３象限の一部と第４象限に跨って位置する反射領域１０Ｃについては、水平基準面（ｘ−ｙ平面）内に基準曲線が設定されている（つまり、θに「Ｃ」を付した記号を用いて「θＣ＝０゜」である。）。そして、当該基準曲線上の点に対して付与される放物線は水平基準面に直交する平面内に含まれる。
【００６４】
尚、図１２に示すように、反射領域１０Ｃの基準点「ＤＣ」については、点ＳＦかその前方に設定される。つまり、原点Ｏから基準点ＤＣまでの距離を「ｆvＣ」と記すと、「ｓｆ≦ｆvＣ」の範囲内で設定される。
【００６５】
図１３及び図１４は上記反射面１０に対してｘ軸方向に沿う光源体３にフィラメントを使用した場合に反射領域によって前方に投影されるフィラメント像（投影像）の配置傾向を概略的に示したものである。尚、これらの図において「ＨＣＬ−ＨＣＬ」線は水平カットオフラインに沿う線（水平線のやや下方に位置して水平方向に延びる線）、「Ｖ−Ｖ」線は鉛直線をそれぞれ示している。
【００６６】
図１３は反射領域１０Ｅによって前方に投影されるフィラメント像１５、１５、・・・を示しており、これらはＨＣＬ−ＨＣＬ線に対してθcolの角度をもって左斜め上方に延びるライン１６（破線を参照。）の下側に配置される。尚、後述する波状化処理によりＨＣＬ−ＨＣＬ線に対して角度θＥ（＝θcol）の傾斜方向への拡散光を得ることができ、これによって傾斜カットオフライン方向に沿う方向の光量を確保することができ、左側の遠方域（自車路線側の遠方域）における視認性が向上する（遠方まで光が届くようになる。）。
【００６７】
尚、反射領域１０Ｅによる照射光量は、上記した占有範囲に関与する角度「ΦＥ」の値を調整することで変化させることができるが、その下限値未満では光量確保の目的達成には不十分であり、他方、上限値を越えると過剰な照射光となってしまう虞が生じる。
【００６８】
図１４は反射領域１０Ｄによって前方に投影されるフィラメント像１７、１７、・・・を示しており、これらはＨＣＬ−ＨＣＬ線に対してθdの角度をもって左斜め上方に延びるライン１８（破線を参照。）の下側に配置される。そして、後述する波状化処理によりＨＣＬ−ＨＣＬ線に対して角度θＤ（例えば、θd）の傾斜方向への拡散光を得ることができ、これによって傾斜カットオフラインよりやや下側に位置する中距離域（自車路線側の路肩域を含む。）での視認性が向上する。
【００６９】
尚、ｆvＤをｓｂより小さくして後方に設定する程、照射光が下方に向けられる。また、基準点ＤＤをｙ軸やｚ軸に平行な方向に沿って動かすことによって照射光の方向を調整しても良い。
【００７０】
角度θdの範囲については、本領域１０Ｄによる照射光が、角度θcolを越えて傾斜カットオフラインの上方に照射されないこと及びＨＣＬ−ＨＣＬ線以下では照射目的を達成できないことから明らかである。また、反射領域１０Ｄによる照射光量は、その占有範囲に関与する角度「ΦＤ」の値を調整することで変化させることができるが、その下限値未満では中距離域における光量確保の目的達成には不十分であり、その上限値を越えると過剰な照射光となってしまう虞が生じる。
【００７１】
また、「θＤ＝θcol」の設定にしても良いが、それよりは、「θＥ＝θcol」に設定した方が効果的である。その理由は反射領域１０Ｅによるフィラメント像の長手方向における側縁が傾斜カットオフラインに沿って延びる配置となるので当該ラインをより強調できるからである。
【００７２】
尚、図示は省略するが、反射領域１０Ｂによるフィラメント像については、回転対称面に特有の放射状の配置となって、傾斜カットオフラインの直下に位置される。
【００７３】
反射領域１０Ａや１０Ｃによるフィラメントの投影像は全てＨＣＬ−ＨＣＬ線以下に配置される。例えば、領域１０Ｅと領域１０Ｃとの境界線に変曲点があるため、領域１０Ｅから図１１の反時計回り方向に沿って領域１０Ｃに進入した途端にフィラメント像の位置がＨＣＬ−ＨＣＬ線の下方へと大きく変化する。また、反射領域１０Ａについて「ｆvＡ」を短くする程、車輌前方の近距離域（車輌寄りの領域）を明るくすることができ、これは二輪車輌やトラック等への適用において有効である。
【００７４】
カットオフラインの直下を明るくするためには、「ｆvＡ＝ｆvＤ＝ｓｂ」、「ｆvＣ＝ｆvＥ＝ｓｆ」と設定するが、その際にはグレア光の発生が問題となるので、一般には点ＤＡ、ＤＤ、ＤＣ、ＤＥを点ＳＢや点ＳＦから少し離して設定することが多い。
【００７５】
しかして、この反射面１０では、各反射領域の境界で設定される基準曲線に対して当該基準曲線を含む平面に直交する方向（あるいは当該直交方向に対する傾斜方向）に放物線を張り付けて曲面を形成していくので、反射領域の境界が段差なく繋がっており、また、各反射領域による光源体の投影像を全て傾斜カットオフライン及び水平カットオフライン以下の範囲に配置させることで、グレアの原因となる上向き光の発生を最小限に抑えることができる。そして、縦方向（基準平面に対する直交方向又は当該方向に対する傾斜方向）に設定される放物線（仮想回転放物面ＰＳと仮想平面πとの交線）の焦点位置の設定や、上記角度θＤ、θＥの設定により、配光分布の調整が可能である。
【００７６】
上記の反射面１０に対しては、以下に示すような波状化の操作を加えることによって、光拡散の度合をさらに強めることができる。
【００７７】
先ず、パラメータＸ及びＷを用いた正規分布型（あるいはガウス型）関数「Ａｔｅｎ（Ｘ，Ｗ）＝ｅｘｐ（−（２・Ｘ／Ｗ）＾２）を用意する。ここで、関数「ｅｘｐ（）」は指数関数、「＾」は累乗を表しており、パラメータ「Ｗ」は減衰の度合を規定するものである。Ｙ＝Ａｔｅｎ（Ｘ，Ｗ）の関数の形状を図１５に示す。
【００７８】
次に、パラメータＸ及びλを用いた周期関数「ＷＡＶＥ（Ｘ，λ）＝（１−ｃｏｓ（３６０°・Ｘ／λ））／２を用意する。尚、パラメータλは余弦波の波数、つまり、波の間隔を表わしており、Ｙ＝ＷＡＶＥ（Ｘ，λ）の関数の形状を図１６に示す。この例では、周期関数ＷＡＶＥとして余弦関数を用いているが、必要に応じて各種の周期関数を用いることができる。
【００７９】
今、上記パラメータＷをＷ＝λ・Ｔｓとおき、関数Ａｔｅｎ（Ｘ，Ｗ）と関数ＷＡＶＥ（Ｘ，λ）とを掛け合わせた関数をＤａｍｐ（Ｘ，λ，Ｗ）と定義すると、図１７に示すように、関数Ｙ＝Ｄａｍｐ（Ｘ，λ，Ｗ）はＸ＝０を中心としてその周辺にいくにつれて減衰する周期関数となる。
【００８０】
このような減衰周期関数の値を、反射面の表現式又はデータ値に加算することにより反射面に拡散作用をもたせることができ、これによって、光軸に近い部分による反射光を拡散させ、光軸から離れた周辺部による反射光を、配光パターンにおける中心光度部やその近辺部の形成に寄与するように制御することができる。
【００８１】
尚、このような面の波状化は、常に反射面の全面に対して行う必要はなく、面の一部分に対して行うこともできる。
【００８２】
また、正規分布型関数のピーク値による波状部の高さについては、これを一定値とせずに、図１８に概略的に示すように、反射面のうち光軸を含む水平基準面から遠い場所ほど波高（図の「Δｈ」を参照。）が低くなるように、正規分布型関数のピーク値を変化させることが好ましい。その理由は、正規分布型関数のピーク値を反射面のｚ値に無関係に一定値としたのでは、反射面の上下両端寄りに範囲によって投影される光源体の投影像、特に、縦方向（ｚ方向）に延びる投影像が横方向に必要以上に拡散してしまう場合があるため、路面の手前側部分が明るさが不足するといった不都合を生じさせる虞があることによる。この不都合を解消するには、反射面の上端や下端にいくに従って波の高さ（ｘ値）が連続的又は段階的に低くなるように形状設計を行うことが望ましい（連続的な高さ変化と段階的な高さ変化との比較では前者の方がより詳細な配光制御が可能であるという点で好ましいが、波高を局部的に変化させるような場合、つまり、ある範囲についてΔｈを相対的に大きくして別の範囲についてはΔｈを相対的に小さくする場合には後者の方が簡易な方法である。）。
【００８３】
以上に説明した本発明に係る反射面の形成方法をまとめると下記のようになる。
（１）反射面の領域区分と、境界面、つまり基準曲線を設定する面及び光源体の設定
境界面については、光軸を含む水平基準面又は光軸を含む水平基準面に対して光軸を回転軸として所定の角度をもって傾斜された傾斜基準面を規定し、これら面内に基準曲線を設定できるようにする。また、反射面の中央に形成された光源体の挿入用孔を通して反射鏡内に挿入される光源体については、その中心軸が光軸に沿って延び、基準曲線の基準点の近傍に位置するように設定する。
【００８４】
その際、水平基準面の近接して位置する第１の反射領域については、該水平基準面に対して傾斜カットオフラインの水平線に対する角度（θcol）に等しい第１の角度（以下、これを「θ１」と記す。）をもって傾斜された傾斜基準面内に基準曲線を設定する。尚、第１の反射領域の面形状を光軸回りの回転対称面（回転体）とする場合にも回転の元になる基準曲線が傾斜基準面内に含まれることは勿論である。
【００８５】
また、水平基準面の近接して当該基準面の上側に位置する第２の反射領域については、水平基準面に対して傾斜カットオフラインの水平線に対する角度より小さい第２の角度（以下、これを「θ２」と記すと、「０゜＜θ２＜θ１」である。）をもって傾斜された傾斜基準面内に基準曲線を設定する。
【００８６】
（２）基準曲線の形状設計
（１）の水平基準面又は傾斜基準面内に設定される基準曲線の形状を決定する。つまり、基準点の設定及び基準曲線上の点での反射傾向を規定する。
【００８７】
（３）仮想回転放物面の設定
光軸上に位置する基準曲線の基準点から発したと仮定した光が基準曲線上の任意の点Ｑで反射されたときの反射光の光線ベクトルｖ＿Ｑに平行な軸を有し、該反射点Ｑを通り基準点を焦点とする仮想的な回転放物面を設定する。
【００８８】
（４）仮想平面の設定及び交線の算出
（３）の光線ベクトルｖ＿Ｑを含み、かつ水平基準面若しくは傾斜基準面に直交する平面（又は当該平面に対して傾斜した平面）に対して平行な仮想平面πで仮想回転放物面ＰＳを切った時の交線（放物線）を求める。
【００８９】
（５）交線集合としての包絡面の生成
（３）及び（４）の操作を基準曲線上の任意の点Ｑで繰り返すことによって得られる交線の集合体として曲面を形成する。尚、この操作は全ての反射領域について行う。
【００９０】
（６）波状化処理
反射面の表現式又はデータ値に対して正規分布型関数と周期関数との積からなる関数に基づく加算演算を施すことによって、反射面の全面又は一部分を波状に形成する。
【００９１】
次に、上記した基本面を用いた各種の形状設計について、その幾つかの態様を下記の順を追って説明する。
【００９２】
（Ｉ）光軸を含む水平基準面の上側や下側に位置する反射領域で得られる投影パターンにより車輌前方の中距離域や遠距離域での照射光量を確保するようにした形態
（ＩＩ）光軸を含む水平基準面の近傍域に回転対称面を配置することなく傾斜カットオフライン直下に向かう投影パターンを形成するようにした形態
（ＩＩＩ）反射面に向かって右側に位置する反射領域によって傾斜カットオフライン直下に向かう投影パターンを形成するようにした形態
（ＩＶ）光軸を含む水平基準面の近傍域であって、反射面の左右にそれぞれ位置する反射領域を併用することで、傾斜カットオフライン直下に向かう投影パターンを形成するようにした形態
（Ｖ）反射面に向かって右側に位置する反射領域により水平カットオフライン直下に向かう投影パターンを形成するようにした形態
（ＶＩ）傾斜カットオフラインを強調しすぎないための形態。
【００９３】
図１９及び図２０は上記（Ｉ）の形態についての構成例を示したものである。
【００９４】
図１９は反射面１９（光源配置用孔１９ａを有する。）の正面図を示しており、反射領域１０Ａ乃至１０Ｆから構成されている（ｙの正軸から反時計回り方向に１０Ａ、１０Ｆ、１０Ｄ、１０Ｂ、１０Ｅ、１０Ｃの順に配置されている。）。尚、反射面１９に関する座標軸や、角度軸「Φ」の設定については既述の設定と同じであり、また、反射領域１０Ａ乃至１０Ｅについては上記した通りであるので説明を省略する。
【００９５】
本例では、新たに追加された反射領域１０Ｆは、反射領域１０Ａと１０Ｄとの間に位置しており、ｘ軸を回転軸として水平基準面（ｘ−ｙ平面）に対してθＦ（０＜θＦ≦θcol）の角度をもって傾斜した平面内に基準曲線が設定されている。そして、当該基準曲線上の点に対して付与される放物線はこの傾斜した基準平面に対して直交する平面内に含まれる。
【００９６】
尚、この反射領域１０Ｆの基準点「ＤＦ」については、図２０に示すように、点ＳＢかその後方に設定される。つまり、原点Ｏから基準点ＤＦまでの距離を「ｆvＦ」と記すと、「０＜ｆvＦ≦ｓｂ」の範囲内で設定され、ｆvＦが短い程光が下方へと照射される。
【００９７】
θＦの角度値については、例えば、これを４゜程度とし、また、θＤの値を８゜程度に設定した場合に、領域１０Ｄ及び１０Ｆによって得られる照射パターンが、車輌の自車線側の中距離域への照射に寄与することになる。
【００９８】
この他、図２１に示す反射面２０（光源配置用孔２０ａを有する。）のように、反射領域１０Ｅと１０Ｃとの間に新たな反射領域１０Ｇを設けても良く（ｙの正軸から反時計回り方向に１０Ａ、１０Ｆ、１０Ｄ、１０Ｂ、１０Ｅ、１０Ｇ、１０Ｃの順に配置されている。）、その際には、ｘ軸を回転軸として水平基準面（ｘ−ｙ平面）に対してθＧ（０＜θＧ≦θcol）の角度をもって傾斜した平面内に基準曲線を設定する。そして、当該基準曲線上の点に対して付与される放物線はこの傾斜した基準平面に対して直交する平面内に含まれる。
【００９９】
本領域１０Ｇの基準点「ＤＧ」については、図２２に示すように、点ＳＦかその前方に設定される。つまり、原点Ｏから基準点ＤＧまでの距離を「ｆvＧ」と記すと、「ｓｆ≦ｆvＧ」とされる。
【０１００】
θＧの角度値については、例えば、これを１０゜程度とし、また、θＥの値を１５゜程度に設定した場合に、これらの領域によって得られる照射パターンが、車輌の自車線側の中距離域から遠距離域にかけての照射に寄与することになる。
【０１０１】
上記のような領域１０Ｆや１０Ｇのような領域をさらに増やしていって多数の反射領域によって反射面を構成することで、さらにきめ細かな配光制御が可能になる。即ち、この方法を一般化した場合には無数の反射領域の組み｛Ｘｉ｝（但し、ｉは整数変数であって、ＸｉはＡ乃至Ｇ、Ｈ、・・・である。）によって反射面を構成することができ、各領域に係る設定角度「θＸｉ」や、基準点の位置「ｆvＸｉ」の設定によって、下記に示す配光分布の調整が可能になる（図２３参照。尚、「Ｈ−Ｈ」線は水平線を示している。）。
【０１０２】
▲１▼照射パターンの上下方向への拡散の度合についての調整（ｆvＸｉに依る）▲２▼カットオフライン直下における光の集り具合の調整（ｆvＸｉに依る）
▲３▼傾斜カットオフラインの近傍域での配光分布の調整（θＸｉに依る）。
【０１０３】
次に、上記（ＩＩ）の形態について説明する。
【０１０４】
図２４は反射面２１（光源配置用孔２１ａを有する。）の構成例を示したものであり、図２１との比較から分かるように反射領域１０Ｂをなくした構成となっている。即ち、反射領域１０Ｄを正面からみたときに当該領域がｙ−ｚ平面の第２象限と第３象限とに跨って領域１０Ｆと１０Ｅとの間に位置しており、傾斜カットオフラインを明瞭にするために、例えば、下記の設定とされる。
【０１０５】
・θＤ＝１５゜とする
・領域１０Ｄと１０Ｅとの境界線及びｘ軸を含む傾斜面がｘ−ｙ平面に対してなす角度を１５゜とする
・ｆvＡ、ｆvＦ、ｆvＤについてはｓｂ以下とし、ｆvＥ、ｆvＧ、ｆvＣについてはｓｆ以上に設定する。
【０１０６】
尚、この場合には「θ１＝θＤ」、「θ２＝θＦ、θＥ又はθＧ」である。
【０１０７】
上記（ＩＩＩ）については、これまでｘ−ｚ平面の左側（光軸方向からみたｙ−ｚ平面の第２象限や第３象限）に位置する領域によって傾斜カットオフライン近傍への照射光を得るようにしていたものを、ｘ−ｚ平面の右側（光軸方向からみたｙ−ｚ平面の第１象限や第４象限）に位置する領域へと転嫁した形態である。尚、この形態を採用することの利点は、例えば、ヘッドランプ等の灯具の左側に別の灯具（ターンシグナルランプ等）を付設する必要がある状況（但し、灯具の右側には充分な配置スペースがあるものとする。）や左右対称でない異形灯具等では、反射面の左半面の占有面積、あるいは光源体から反射面の左半面を見込んだ立体角を充分に確保することができないが、本形態を用いることにより、傾斜カットオフラインの近傍領域に寄与する照射光を充分に確保できることにある。
【０１０８】
図２５は反射面２２（光源配置用孔２２ａを有する。）の構成例を示したものであり、ｙ軸の正軸を「０゜」の基準としてｘ軸回りに図の反時計回り方向を正方向とする角度軸「Φ」を設定し、各領域の占有角度を「ΦＸ」（Ｘ＝Ａ乃至Ｇ）としたときに、各領域は下記に示す範囲を占めている。
【０１０９】
・反射領域２３Ａ（−１８０゜≦  Φ  ＜  −１８０゜＋ΦＡ）
・反射領域２３Ｆ（−１８０゜＋ΦＡ  ≦  Φ  ＜  −１８０゜＋ΦＡ＋ΦＦ）
・反射領域２３Ｄ（−１８０゜＋ΦＡ＋ΦＦ  ≦  Φ  ＜  γ）
・反射領域２３Ｂ（  γ  ≦  Φ  ＜  γ＋ΦＢ）
・反射領域２３Ｅ（  γ＋ΦＢ  ≦  Φ  ＜  γ＋ΦＢ＋ΦＥ）
・反射領域２３Ｇ（  γ＋ΦＢ＋ΦＥ  ≦  Φ  ＜  １８０゜−ΦＣ）
・反射領域２３Ｃ（  １８０゜−ΦＣ  ≦  Φ  ＜  １８０゜）。
【０１１０】
尚、角度「γ」（０゜＜γ≦θcol）については、領域２３Ｂと２３Ｄとの境界線（あるいは当該境界線を含みｘ軸方向に延びる平面）２４がｘ−ｙ平面（ｙの正軸）に対してなす角度と定義している。
【０１１１】
正面からみてｙ−ｚ平面の第４象限に位置する領域については、図の反時計回り方向に沿って２３Ａ、２３Ｆ、２３Ｄの順に配置され、領域２３Ｄは第１象限に跨っている。
【０１１２】
尚、基準平面の設定角度については、領域２３Ａに対して「θＡ＝０゜」とされ、領域２３Ｆ、２３Ｄに関しては「０゜＜θＦ≦θcol」、「０゜＜θＤ≦θcol」の範囲内で設定される。また、基準点の設定についてはｆvＡ、ｆvＦ、ｆvＤがいずれもｓｆ以上とされる（図２６参照。）。
【０１１３】
第１象限に位置する領域については、図の反時計回り方向に沿って２３Ｄ、２３Ｂ、２３Ｅ、２３Ｇ、２３Ｃの順に配置されている。
【０１１４】
領域２３Ｂの形状は、ｘ軸を回転軸とする回転対称面とされ、例えば、その焦点位置は点ＳＢ又はその近傍に設定される。
【０１１５】
また、領域２３Ｅ、２３Ｇ、２３Ｃに関する基準平面の設定角度については、領域２３Ｅに関して「０゜＜θＥ≦θcol」、領域２３Ｇに関して「０゜＜θＧ≦θcol」の範囲内で設定され、領域２３Ｃに対して「θＣ＝０゜」とされている。そして、基準点の設定についてはｆvＥ、ｆvＧ、ｆvＣがいずれもｓｂ以下とされる（図２６参照。）。
【０１１６】
尚、各領域の占有角度については、下記に示す範囲内で規定される。
【０１１７】
・９０゜≦ΦＡ＜１８０゜
・１５゜≦ΦＦ＜１０５゜
・  ０゜＜ΦＤ≦１５゜
・  ０゜＜ΦＢ≦１５゜
・  ０゜＜ΦＥ≦７５゜
・  ０゜＜ΦＧ≦７５゜
・９０゜≦ΦＣ＜１６５゜
【０１１８】
また、本構成においても、例えば、領域２３Ａと２３Ｆとの間や、領域２３Ａと２３Ｆとの間にさらに別の領域を介挿していくことで、反射面の右側においても反射領域の数を無数に増やしていける点については、前記した例と同様である。
【０１１９】
上記（ＩＶ）については、ｘ−ｙ平面に近い領域であって、ｘ−ｚ平面の左側及び右側に位置する領域を併用することで、傾斜カットオフライン近傍への照射光を得る形態である。尚、この形態を採用することの利点は、例えば、灯具の横幅（ｙ軸方向の幅）が狭いために、傾斜カットオフラインを明確に形成するのに充分な光を、反射面の片側領域だけでは得ることができない場合に有効である。
【０１２０】
図２７は反射面２５（光源配置用孔２５ａを有する。）の構成例を示したものであり、左半面（ｘ−ｚ平面の左側部分）の構成については、図２１の例と同様の構成となっている。
【０１２１】
ｙ軸の正軸を「０゜」の基準としてｘ軸回りに図の反時計回り方向を正方向とする角度軸「Φ」を設定し、各領域の占有角度を「ΦＸ」（Ｘ＝Ａ乃至Ｇ、ＡＬ、ＢＬ、ＣＬ）としたときに、各領域は下記に示す範囲を占めている。
【０１２２】
ｉ）左半面
・反射領域１０Ａ（９０゜≦  Φ  ＜  ９０゜＋ΦＡ）
・反射領域１０Ｆ（９０゜＋ΦＡ  ≦  Φ  ＜  ９０゜＋ΦＡ＋ΦＦ）
・反射領域１０Ｄ（９０゜＋ΦＡ＋ΦＦ  ≦  Φ  ＜  １８０゜＋  η）
・反射領域１０Ｂ（１８０゜＋η  ≦  Φ  ＜  １８０゜＋η＋ΦＢ  ）
・反射領域１０Ｅ（１８０゜＋η＋ΦＢ  ≦  Φ  ＜  ２７０゜−ΦＣ−ΦＧ）
・反射領域１０Ｇ（２７０゜−ΦＣ−ΦＧ  ≦  Φ  ＜  ２７０゜−ΦＣ）
・反射領域１０Ｃ（  ２７０゜−ΦＣ  ≦  Φ  ＜  ２７０゜）。
【０１２３】
ｉｉ）右半面
・反射領域２６ＡＬ（  ２７０゜  ≦  Φ  ＜  ３６０゜）
・反射領域２６ＢＬ（  ０゜≦  Φ  ＜  ΦＢＬ）
・反射領域２６ＣＬ（  ΦＢＬ  ≦  Φ  ＜  ９０゜）。
【０１２４】
尚、ここで角度「η」は、領域１０Ｄと１０Ｂとの境界線（あるいは当該境界線を含みｘ軸方向に延びる平面）がｘ−ｙ平面（ｙの負軸）に対してなす角度と定義している。
【０１２５】
領域２６ＡＬについては水平カットオフライン以下の範囲に寄与する光を得るために、基準平面の設定角度を「θＡＬ＝０゜」とし、基準点（ＤＡＬ）についてはｆvＡＬをｓｆ以上に設定している（図２８参照。）。
【０１２６】
また、領域２６ＢＬはΦＢＬ＝１５゜の占有域を有しており、その形状はｘ軸を回転軸とする回転対称面とされ、例えば、その焦点が点ＳＢ又はその近傍に設定される。
【０１２７】
領域２６ＣＬについては基準平面の設定角度を「θＣＬ＝０゜」とし、基準点（ＤＣＬ）についてはｆvＣＬをｓｂ以下に設定している（図２８参照。）。
【０１２８】
しかして、この例では、領域１０Ｂや１０Ｄ、１０Ｅ、１０Ｆ、１０Ｇの他に、右半面においてｘ−ｙ平面に近接する領域２６ＢＬによって傾斜カットオフライン直下に位置する範囲の形成に寄与する光を得ることができる。
【０１２９】
尚、反射面の右半面について、さらに細かく領域分けを行うことができ、例えば、図２９や図３１に示す構成が挙げられる。
【０１３０】
図２９の例では、反射面２７（光源配置用孔２７ａを有する。）の左半面が図２７の例と同じ構成とされ、右半面が下記に示す反射領域を有している。
【０１３１】
・反射領域２６ＡＬ（  ２７０゜  ≦  Φ  ＜  ２７０゜＋ΦＡＬ）
・反射領域２６ＤＬ（  ２７０゜＋ΦＡＬ  ≦  Φ  ＜  δ）
・反射領域２６ＢＬ（  δ  ≦  Φ  ＜  δ＋ΦＢＬ）
・反射領域２６ＥＬ（  δ＋ΦＢＬ  ≦  Φ  ＜  δ＋ΦＢＬ＋ΦＥＬ）
・反射領域２６ＣＬ（  ９０゜−ΦＣＬ  ≦  Φ  ＜  ９０゜）。
【０１３２】
尚、ここで角度「δ」は、領域２６ＤＬと２６ＢＬとの境界線（あるいは当該境界線を含みｘ軸方向に延びる平面）２８がｘ−ｙ平面（ｙの負軸）に対してなす角度と定義している。
【０１３３】
領域２６ＡＬ、２６ＢＬ、２６ＣＬの設定については上記した通りであり、領域２６ＤＬについては基準平面に係る設定角度「θＤＬ」が、「０゜＜θＤＬ≦θcol」の範囲内で規定され、基準点（ＤＤＬ）についてはｆvＤＬがｓｆ以上に設定される（図３０参照。）。
【０１３４】
また、領域２６ＥＬについては基準平面に係る設定角度「θＥＬ」が、「０゜＜θＥＬ≦θcol」の範囲内で規定され、基準点（ＤＥＬ）についてはｆvＥＬがｓｂ以下に設定される（図３０参照。）。
【０１３５】
本例では、反射面２７の右半面において領域２６ＢＬとその両脇に位置する領域２６ＤＬ及び２６ＥＬによって傾斜カットオフライン直下に位置する範囲の形成に寄与する光を得ることができる。
【０１３６】
また、図３１に示す反射面２９（光源配置用孔２９ａを有する。）では、さらに領域２６ＤＬと２６ＡＬとの間に新たな領域２６ＦＬを設けるとともに、領域２６ＥＬと２６ＣＬとの間に新たな領域２６ＧＬを設けた構成を示しており、右半面が下記に示す反射領域からなっている。
【０１３７】
・反射領域２６ＡＬ（  ２７０゜  ≦  Φ  ＜  ２７０゜＋ΦＡＬ）
・反射領域２６ＦＬ（  ２７０゜＋ΦＡＬ  ≦  Φ  ＜  ２７０゜＋ΦＡＬ＋ΦＦＬ）
・反射領域２６ＤＬ（  ２７０゜＋ΦＡＬ＋ΦＦＬ  ≦  Φ  ＜  δ）
・反射領域２６ＢＬ（  δ  ≦  Φ  ＜  δ＋ΦＢＬ）
・反射領域２６ＥＬ（  δ＋ΦＢＬ  ≦  Φ  ＜  δ＋ΦＢＬ＋ΦＥＬ）
・反射領域２６ＧＬ（  δ＋ΦＢＬ＋ΦＥＬ  ≦  Φ  ＜  δ＋ΦＢＬ＋ΦＥＬ＋ΦＧＬ）
・反射領域２６ＣＬ（  ９０゜−ΦＣＬ  ≦  Φ  ＜  ９０゜）。
【０１３８】
本例において、領域２６ＦＬについては基準平面に係る設定角度「θＦＬ」が、「０゜＜θＦＬ≦θcol」の範囲内で規定され、基準点（ＤＦＬ）についてはｆvＦＬがｓｆ以上に設定される。また、領域２６ＧＬについては基準平面に係る設定角度「θＧＬ」が、「０゜＜θＧＬ≦θcol」の範囲内で規定され、基準点（ＤＧＬ）についてはｆvＧＬがｓｂ以下に設定される。
【０１３９】
よって、反射面２９の右半面において領域２６ＢＬ、２６ＤＬ、２６ＥＬ、２６ＦＬ、２６ＧＬによって傾斜カットオフライン直下に位置する範囲の形成に寄与する光を得ることができる。
【０１４０】
このように、反射領域２６ＡＬと２６ＢＬとの間や、２６ＢＬと２６ＣＬとの間に多数の反射領域を介挿していくことによって領域数を増やしていくことで、より詳細な配光設計が可能になる。
【０１４１】
次に（Ｖ）の形態について説明する。
【０１４２】
本形態では、反射面の右半面に位置する領域による光が、傾斜カットオフライン近傍の光量分布に寄与することはないが、右半面について領域分けを行い、各領域について縦方向（基準平面に直交する方向）の放物線の焦点位置を変化させることで水平カットオフライン直下に光を集めることができる。
【０１４３】
図３２はそのような構成例を示したものであり、反射面３０（光源配置用孔３０ａを有する。）の左半面については図１１の例と同様の構成（ｚ軸の正軸から反時計回り方向に領域１０Ａ、１０Ｄ、１０Ｂ、１０Ｅ、１０Ｃの順に配置されている。）、右半面については下記に示す反射領域を有している。
【０１４４】
・反射領域２６ＡＬ（  ２７０゜  ≦  Φ  ＜  ２７０゜＋ΦＡＬ）
・反射領域２６ＤＬ（  ２７０゜＋ΦＡＬ  ≦  Φ  ＜  ０゜）
・反射領域２６ＥＬ（  ０゜≦  Φ  ＜  ΦＥＬ）
・反射領域２６ＣＬ（  ΦＥＬ  ≦  Φ  ＜  ９０゜）。
【０１４５】
先ず、領域２６ＡＬについては、基準平面の設定角度が「θＡＬ＝０゜」とされ、ｆvＡＬがｓｆより大きい設定となっている（これはフィラメント像が水平カットオフラインの上側にはみ出さないようにするためである。）。
【０１４６】
また、領域２６ＤＬについては、基準平面の設定角度が「θＤＬ＝０゜」とされ、ｆvＤＬがｓｆに等しい設定となっている（これは、フィラメント像を水平カットオフライン直下に集めることで遠方の視認性を向上させるためである。）。
【０１４７】
そして、領域２６ＥＬについては、基準平面の設定角度が「θＥＬ＝０゜」とされ、ｆvＥＬがｓｂに等しい設定となっている。
【０１４８】
尚、このような領域２６ＤＬについては基準点をフィラメント前端位置に設定し、領域２６ＥＬについては基準点をフィラメント後端位置に設定すると、対向車線側での前方視認性が向上するという利点がある。
【０１４９】
領域２６ＣＬについては、基準平面の設定角度が「θＣＬ＝０゜」とされ、ｆvＣＬがｓｂより短い設定となっている。
【０１５０】
上記（ＶＩ）の形態は、傾斜カットオフラインを必要以上に明確にしないためのものである。これは、当該カットオフライン直下の範囲を強調し過ぎることに起因する弊害（例えば、空中を照射するだけとなったり、あるいは壁等での反射光が原因となって走行に支障を来したり、道路利用者への迷惑等が生じる虞がある。特にメタルハライドランプのような高輝度の放電灯を光源として用いる場合に配慮が必要である。）を防止するためである。
【０１５１】
反射面の構成について、図１１の構成と同じ例で説明すると、下記に示す設定事項に特徴がある。
【０１５２】
ａ）０゜＜  ΦＢ＋θd  ＜１５゜
ｂ）領域１０Ｄ、１０Ｅ、１０Ｆ、１０Ｇのうちのいずれか一つ以上の領域について、基準面の設定角度θＸを１５゜に設定する（例えば、θＤ＝１５゜とする。）。
【０１５３】
先ず、ａ）の条件は、領域１０Ｂによるフィラメント像が必要以上に傾斜カットオフラインの直下に集まらないようにするための条件である。
【０１５４】
また、ｂ）の事項は領域１０Ｄ、１０Ｅ、１０Ｆ、１０Ｇのうちの、少なくとも１つの領域によって傾斜カットオフライン直下に向かう光を得るために必要である。つまり、各領域については、「０゜＜θＸ≦１５゜」（Ｘ＝Ｄ、Ｅ、Ｆ、Ｇ）の範囲内で基準平面の設定角度が規定されるが、これらのうちのどれか１つ以上は１５゜に等しい角度をもつように設定を行う。
【０１５５】
尚、本例に限らず、反射領域の数を増やしたり又は減らした構成も可能であるし、また、前記（ＩＩＩ）や（ＩＶ）において説明した反射面への適用も勿論可能である。
【０１５６】
【実施例】
図３３乃至図３６は、本発明を自動車用前照灯の反射鏡に適用した実施の一例を示すものであり、正面形状がほぼ横長四角形状をした反射鏡の反射面に上記の基本面を適用したものである。
【０１５７】
図３３は、反射鏡３１の反射面３２を示す正面図であり、紙面に対して垂直に延びる光軸をｘ軸（手前側を正の向きとする。）とし、これに直交する水平軸をｙ軸（図の右方を正の向きとする。）とし、鉛直軸をｚ軸（図の上方を正の向きとする。）とする直交座標系が設定されており、３軸の交点Ｏが原点とされている。
【０１５８】
反射面３２には、正面から見て原点Ｏを中心とする円孔３２ａが電球挿入用孔として形成されており、該円孔３２ａを通して光源体であるフィラメントが反射鏡３１内に配置されるようになっている。
【０１５９】
そして、反射面３２は、下記に示す７つの反射領域３３ａ乃至ｇから構成されている。
【０１６０】
・反射領域３３ａ（ｘ−ｚ平面に近接してその左方に位置されて、ほぼ三角形状をした領域。）
・反射領域３３ｂ（領域３３ａの左方に隣接する、ほぼ台形形状をした領域。）
・反射領域３３ｃ（ｘ−ｙ平面の下方において領域３３ｂに隣接した、扇状の領域。）
・反射領域３３ｄ（領域３３ｃの下方に隣接した、扇状の領域。）
・反射領域３３ｅ（ｘ−ｚ平面の左方に位置して領域３３ｄに隣接する、ほぼ三角形状の領域。）
・反射領域３３ｆ（ｘ−ｙ平面の下方であってｘ−ｚ平面の右側に位置する、ほぼ長方形状の領域。）
・反射領域３３ｇ（ｘ−ｙ平面の上方であってｘ−ｚ平面の右側に位置する、ほぼ長方形状の領域。）。
【０１６１】
尚、図１１に示した領域区分との対応関係については、領域３３ａ及び３３ｇが上記領域１０Ａに相当し、領域３３ｂが上記領域１０Ｄに、領域３３ｃが上記領域１０Ｂに、領域３３ｄが上記領域１０Ｅに、領域３３ｅ及び３３ｆが上記領域１０Ｃにそれぞれ相当する。また、図中の線３４は領域３３ｂと３３ｃの境界（ｘ−ｙ平面に対する傾斜角＝θd）を、線３５は領域３３ｃと３３ｄの境界（ｘ−ｙ平面に対する傾斜角＝θcol）を、線３６は領域３３ｄと３３ｅの境界（ｘ−ｙ平面に対する傾斜角＝β）をそれぞれ表している。
【０１６２】
尚、各反射領域のもつ役割については、領域３３ａ及び３３ｅが水平方向に拡がった拡散光の形成に与り、領域３３ｂが１５゜の傾斜カットオフラインの下方においてθd（＝２゜）の角度傾斜をつけた方向に沿う拡散光の形成に関与する。また、領域３３ｃは１５゜傾斜カットオフラインの直下に位置する範囲の光照射に寄与し、領域３３ｄは当該範囲への照射光量を増すために必要とされる。そして、領域３３ｆ及び領域３３ｇは明確な水平カットオフライン（対向車線側）の形成及び水平方向への拡散光の形成に関与する。
【０１６３】
図３４は、各反射領域によって反射面３２の前方に配置されたスクリーン上に投影される照射パターンの分布を概略的に示した図であり、図中の「ＨＣＬ−ＨｃＬ」線や「Ｖ−Ｖ」線については既述の通りである。
【０１６４】
照射パターン３７ａは反射領域３３ａによって得られるパターンを示しており、ＨＣＬ−ＨＣＬ線の下側の位置し、その上縁が水平方向に沿っている。
【０１６５】
照射パターン３７ｂは反射領域３３ｂによって得られるパターンを示しており、その上縁がＨＣＬ−ＨＣＬ線に対して２゜の角度をもって左斜め上方に延びる方向に沿うように形成される。
【０１６６】
照射パターン３７ｃは反射領域３３ｃによって得られるパターンを示しており、その上縁が傾斜カットオフラインの角度（１５゜）をもってＨＣＬ−ＨＣＬ線に対して左斜め上方に延びる方向に沿うように形成される。
【０１６７】
照射パターン３７ｄは反射領域３３ｄによって得られるパターンを示しており、その上縁が傾斜カットオフラインの角度（１５゜）をもってＨＣＬ−ＨＣＬ線に対して左斜め上方に延びる方向に沿っている。つまり、本パターンにより傾斜カットオフライン直下の領域の光を強調することで左遠方域での視認性を向上させることができる。
【０１６８】
照射パターン３７ｅは反射領域３３ｅによって得られるパターンを示しており、ＨＣＬ−ＨＣＬ線の下側の位置し、その上縁が水平方向に沿っている。
【０１６９】
尚、これらのパターン３７ａ乃至３７ｅについては、鉛直線Ｖ−Ｖの左側において占める面積が鉛直線Ｖ−Ｖの右側において占める面積より大きくなっており、パターン３７ｅにおいてその傾向が顕著に認められる。
【０１７０】
照射パターン３７ｆは反射領域３３ｆによって得られるパターンを示しており、ＨＣＬ−ＨＣＬ線の下側の位置し、その上縁が水平方向に沿っている。
【０１７１】
照射パターン３７ｇは反射領域３３ｇによって得られるパターンを示しており、ＨＣＬ−ＨＣＬ線の下側の位置し、その上縁が水平方向に沿っている。
【０１７２】
これらのパターン３７ｆ、３７ｇについては、鉛直線Ｖ−Ｖの右側において占める面積が鉛直線Ｖ−Ｖの左側において占める面積より大きくなっている。
【０１７３】
照射パターン３８は、照射パターン３７ａ乃至３７ｇを重ね合わせて示したものであり、これより全体的な照射範囲がある程度分かる。
【０１７４】
図３５は波状化処理を施す前の反射面によって得られる照射パターン３９を概略的に示したものであり、鉛直線Ｖ−Ｖの左側であってＨＣＬ−ＨＣＬ線の近くに位置する範囲（円Ａ内の範囲）において照射光量が増強されている。
【０１７５】
図３６は波状化処理後の反射面によって得られるすれ違いビームの配光パターン４０について等照度線を概略的に示したものであり（Ｈ−Ｈ線は水平線を示す。）、上記照射パターン（原形パターン）３９に対して波状化による光拡散の効果が認められる。尚、この配光パターンは、反射面３２だけの作用によって所定の配光規格を充分満たすパターンとして得られるので、前面レンズについてはレンズステップのない素通しか又はほとんど素通しに近い状態で済む。
【０１７６】
【発明の効果】
以上に記載したところから明らかなように、請求項１や請求項２に係る発明によれば、第１の領域によって得られる光源体の投影像を、傾斜カットオフラインの直下において当該ラインに沿って配置させることで必要な光量を確保して、自車線路の前方における遠方視認性を向上させることができる。そして、第２の領域によって得られる光源体の投影像を、傾斜カットオフラインより小さい角度をもったラインに沿って配置させることで自車線路の前方における中距離域への照射光量を確保することができるので、夜間走行の安全性を高めることができる。
【０１７７】
請求項３や請求項６に係る発明によれば、正規分布型関数と周期関数の積からなる関数に基づいて反射面の全面又は一部分を波状に形成して、所定方向に大きく拡散された光を得ることによって、反射鏡の前面レンズによる拡散作用への依存度を大幅に低減することができる。
【０１７８】
請求項４や請求項７に係る発明によれば、反射面のうち光軸を含む水平基準面から遠い場所ほど波状部の波高が低くなるように正規分布型関数のピーク値を変化させることで、反射面の上端部寄りの領域や下端部寄りの領域で反射される光が必要以上に拡散されるのを防ぐことができる。
【０１７９】
請求項５に係る発明によれば、水平基準面又は傾斜基準平面に対して直交する方向に割り付けられる放物線の集合体として各反射領域の曲面形状を設計することができ、基準平面の設定角度の調整により、傾斜カットオフライン直下の範囲に寄与する光源体の投影像の配置を詳細に制御することができる。
【図面の簡単な説明】
【図１】図２乃至図１０とともに本発明に係る反射面の形成方法について説明するための図であり、本図は反射面の正面図である。
【図２】縦断面図である。
【図３】水平断面図である。
【図４】反射光線の方向ベクトルについての説明図である。
【図５】基準曲線を示す斜視図である。
【図６】仮想回転放物面を示す斜視図である。
【図７】仮想回転放物面と仮想平面との交線（放物線）を示す斜視図である。
【図８】交線群として形成される曲面を示す斜視図である。
【図９】図１０とともに、ｘ−ｙ平面に対してｘ軸回りに所定の角度をもって傾斜された平面を基準平面に設定する場合の説明図であり、本図は正面図である。
【図１０】基準平面と仮想平面との関係及び仮想平面内の交線を示す斜視図である。
【図１１】反射面の構成例を示す正面図である。
【図１２】基準点の設定について説明するための側面図である。
【図１３】領域１０Ｅによるフィラメント像の配置傾向を示す説明図である。
【図１４】領域１０Ｄによるフィラメント像の配置傾向を示す説明図である。
【図１５】正規分布型関数の一例を示すグラフ図である。
【図１６】周期関数の一例を示すグラフ図である。
【図１７】減衰周期関数の一例を示すグラフ図である。
【図１８】波状化処理に係るｘ軸方向の高さ設定について説明するための図である。
【図１９】図２０とともに反射面の構成例について説明するためのものであり、本図は反射面の正面図である。
【図２０】基準点の設定について説明するための側面図である。
【図２１】図２２とともに反射面の構成の別例について説明するためのものであり、本図は反射面の正面図である。
【図２２】基準点の設定について説明するための側面図である。
【図２３】配光分布の調整に関する説明図である。
【図２４】領域１０Ｂをなくした反射面の構成例を示す正面図である。
【図２５】図２６とともに、右半面に位置する領域で傾斜カットオフラインを形成することのできる反射面の構成例を示すものであり、本図は正面図である。
【図２６】基準点の設定について説明するための側面図である。
【図２７】図２８とともに、左半面や右半面に位置する領域を併用することで傾斜カットオフラインを形成することのできる反射面の構成例を示すものであり、本図は正面図である。
【図２８】基準点の設定について説明するための側面図である。
【図２９】図３０とともに、図２７の構成において右半面の領域分けの数を増やした反射面の構成例を示すものであり、本図は正面図である。
【図３０】基準点の設定について説明するための側面図である。
【図３１】図２９の構成において右半面の領域分けの数をさらに増やした反射面の構成例を示す正面図である。
【図３２】反射面の右半面に位置する領域を用いて水平カットオフライン直下に光を集めることができる反射面の構成例を示す正面図である。
【図３３】図３４乃至図３６とともに本発明に係る実施の一例を示すもので、本図は反射面の正面図である。
【図３４】すれ違いビームの照射時の各領域による投影パターンを概略的に示す図である。
【図３５】波状化処理を施す前の反射面により得られる原形パターンを概略的に示す図である。
【図３６】すれ違いビームの照射時の配光分布を概略的に示す図である。
【符号の説明】
１…基本面、２…挿入用孔、３…光源体、４…基準曲線、５、９…交線、７…傾斜基準面、８…仮想平面、１０、１９、２０…反射面、１０Ｂ…第１の反射領域、１０Ｄ、１０Ｅ、１０Ｆ、１０Ｇ…第２の反射領域、２１…反射面、１０Ｄ…第１の反射領域、１０Ｅ、１０Ｆ、１０Ｇ…第２の反射領域、２２…反射面、２３Ｂ…第１の反射領域、１０Ｄ、１０Ｅ、１０Ｆ、１０Ｇ…第２の反射領域、２５…反射面、１０Ｂ、２６ＢＬ…第１の反射領域、１０Ｄ、１０Ｅ、１０Ｆ、１０Ｇ…第２の反射領域、２７、３１…反射面、１０Ｂ、２６ＢＬ…第１の反射領域、１０Ｄ、１０Ｅ、１０Ｆ、１０Ｇ、２６ＤＬ、２６ＥＬ、２６ＦＬ、２６ＧＬ…第２の反射領域、３０…反射面、３１…反射鏡、３２…反射面、３３ｃ…第１の領域、３３ｄ…第２の領域
【図１】
0003926957.tif 000002
【図２】
0003926957.tif 000003
【図３】
0003926957.tif 000004
【図４】
0003926957.tif 000005
【図５】
0003926957.tif 000006
【図６】
0003926957.tif 000007
【図７】
0003926957.tif 000008
【図８】
0003926957.tif 000009
【図９】
0003926957.tif 000010
【図１０】
0003926957.tif 000011
【図１１】
0003926957.tif 000012
【図１２】
0003926957.tif 000013
【図１３】
0003926957.tif 000014
【図１４】
0003926957.tif 000015
【図１５】
0003926957.tif 000016
【図１６】
0003926957.tif 000017
【図１７】
0003926957.tif 000018
【図１８】
0003926957.tif 000019
【図１９】
0003926957.tif 000020
【図２０】
0003926957.tif 000021
【図２１】
0003926957.tif 000022
【図２２】
0003926957.tif 000023
【図２３】
0003926957.tif 000024
【図２４】
0003926957.tif 000025
【図２５】
0003926957.tif 000026
【図２６】
0003926957.tif 000027
【図２７】
0003926957.tif 000028
【図２８】
0003926957.tif 000029
【図２９】
0003926957.tif 000030
【図３０】
0003926957.tif 000031
【図３１】
0003926957.tif 000032
【図３２】
0003926957.tif 000033
【図３３】
0003926957.tif 000034
【図３４】
0003926957.tif 000035
【図３５】
0003926957.tif 000036
【図３６】
0003926957.tif 000037